(57)【要約】【課題】投射レンズの表面積より小さい占有面積の収容体に、２枚の保護板を収容することで、光学機器をより小型化する。【解決手段】投射レンズ３０の上半分を覆う第１保護板１１、下半分を覆う第２保護板１２を備える光学機器に、投射レンズ３０の光軸に略平行であり、第１及び第２保護板１１，１２が夫々前記上半分及び下半分を覆う位置及び投射レンズ３０を露出する位置間で回動するように、第１及び第２保護板１１，１２を支持する支持軸と、投射レンズ３０の径方向外側に配されており、第１及び第２保護板１１，１２を重ねて収容する収容体１０とを備え、第１及び第２保護板１１，１２が入り込む収容口を収容体１０の投射レンズ３０側に形成する。【選択図】図１
2007163871.tif 000002
【特許請求の範囲】
【請求項１】
レンズと、該レンズの異なる部位を覆うことで、前記レンズを保護する複数の保護板とを備える光学機器において、
前記レンズの光軸に略平行であり、前記保護板が前記部位を覆う位置及び前記部位を露出する位置間で回動するように、前記複数の保護板を支持する支持軸と、
前記レンズの一面側の径方向外側に配されており、前記複数の保護板を重ねて収容する収容体と
を備え、
前記収容体は、
前記複数の保護板が入り込む収容口を前記レンズ側に有する
ことを特徴とする光学機器。
【請求項２】
一の前記保護板は、
他の前記保護板に当接することで、前記一の保護板の回動力を前記他の保護板に伝達する凸部を備え、
前記他の保護板は、
前記凸部が嵌入している長孔を備え、該長孔は前記保護板の回動方向に長く、各保護板の重なった部分の面積が第１所定面積である場合に当接する第１当接端と、重なった部分の面積が前記第１所定面積より大きい第２所定面積である場合に当接する第２当接端とを有する
ことを特徴とする請求項１に記載の光学機器。
【請求項３】
前記保護板を回動させるための操作部と、
直線移動可能に支持されており、前記操作部に与えられた駆動力を前記保護板に伝達するラックと
を備え、
前記保護板は、
前記ラックに噛合する歯車を備える
ことを特徴とする請求項１又は請求項２に記載の光学機器。
【請求項４】
前記保護板が、前記レンズを覆う所定の回動位置にあることを検出する検出手段と、
該検出手段の検出結果に応じて、所定処理を行う手段と
を備えることを特徴とする請求項１乃至請求項３のいずれか一つに記載の光学機器。
【請求項５】
前記レンズを収容した筐体を備え、
前記収容体は、
前記筐体の内側に配されている
ことを特徴とする請求項１乃至請求項４のいずれか一つに記載の光学機器。
【請求項６】
放電ランプと、
該放電ランプからの光を光変調する光変調部と
を備え、
前記レンズは、
前記光変調部が光変調した変調光を投射するようにしてある
ことを特徴とする請求項１乃至請求項５のいずれか一つに記載の光学機器。
【発明の詳細な説明】
【技術分野】
【０００１】
本発明は、レンズの異なる部位を覆うことで該レンズを保護する複数の保護板を備えた光学機器に関する。
【背景技術】
【０００２】
図１５は、従来のプロジェクタの略示斜視図である。
従来のプロジェクタ、特に小型化された可搬容易なプロジェクタは、外部に露出した投射レンズ３０、及び投射レンズ３０を保護する１枚の保護板１０１を備えている。保護板１０１は、プロジェクタ筐体の前面壁に横方向に移動可能に支持されており、一端側に移動した場合、投射レンズ３０が露出し、他端側に移動した場合、投射レンズ３０が覆われるように構成されている。
【０００３】
小型化されたプロジェクタにおいては、プロジェクタの搬送時、投射レンズ３０に手垢、樹脂、ゴミ、埃等の汚れが付着し、又は投射レンズ３０が傷付く虞があるが、保護板１０１を備えることによって投射レンズ３０を保護することができる。
【０００４】
一方、レンズ保護機能を有し、保護板を収容することができる他の光学機器、例えばカメラは、外部に露出するレンズ、該レンズの異なる部位を覆うことでレンズを保護する２枚の保護板、及び該保護板を移動させるカム機構を備えている。
カム機構は、瞼が目を覆うように、２枚の保護板をレンズ中央部で互いに当接させ、またレンズ中央から径方向外側へ離反するように移動させる。レンズの径方向外側には、各保護板を収容する２つの収容体が配されている（例えば、特許文献１）。
【特許文献１】特開２００２−４０３１８号公報
【発明の開示】
【発明が解決しようとする課題】
【０００５】
しかしながら、従来のプロジェクタにおいては、投射レンズ３０の表面積より大きい１枚の保護板１０１をプロジェクタ筐体の外側に備えているため、保護板１０１によってプロジェクタの設計自由度が制限され、また特許文献１に係る光学機器においては、２枚の保護板を夫々異なる収容体で収容するため、収容体の占有面積はレンズの表面積と同程度であり、該収容体によって設計自由度が制限されるという問題があった。例えば、保護板又は収容体によって、他の構成部品の配置位置が制限され、またプロジェクタ又は光学機器の外形寸法が大きくなるという問題があった。
【０００６】
本発明は、斯かる事情に鑑みてなされたものであり、複数の保護板を回動自在に支持する支持軸を備え、複数の保護板を重ねて収容するように構成することにより、保護板を夫々異なる収容体に収容する場合に比べて、保護板を収容する収容体の占有面積をより小さくすることができ、保護板及び収容体を小型化することができる光学機器を提供することを目的とする。
【０００７】
また、本発明の他の目的は、一の保護板の回動力を他の保護板に伝達する凸部を一の保護板に備え、該凸部が嵌入する長孔を他の保護板に備えることにより、特許文献１に係るカム機構に比べてより簡単な機構で、各保護板を重ねて収容し、また重なった保護板を広げてレンズを覆うことができる光学機器を提供することにある。
【０００８】
更に、操作部と、直線移動可能に支持されており、操作部に与えられた駆動力を保護板に伝達するためのラックとを備え、操作部に与えられた駆動力を歯車機構にて保護板に伝達するように構成することにより、操作部を直線移動させる簡単な操作で各保護板を収容体に収容し、また保護板でレンズを覆うことができる光学機器を提供することにある。
【０００９】
更にまた、各保護板がレンズを覆う所定の回動位置にあることを検出する検出手段、及び該検出手段の検出結果に応じて、所定処理を行う手段を備えることにより、レンズが保護板によって覆われているか否かに応じて、所定処理を行うことができる光学機器を提供することにある。
【００１０】
更にまた、レンズを収容した筐体の内側に、保護板の収容体を配することにより、光学系を構成する筐体の外側に収容体を配する場合に比べて、筐体のデザイン自由度が高い光学機器を提供することにある。
【００１１】
更にまた、放電ランプ、及び放電ランプからの光を光変調する光変調部を備え、光変調された変調光をレンズにて投射するように構成することにより、変調光を投射するレンズを上述の保護板で保護することができ、保護板を夫々異なる収容体に収容する場合に比べて、収容体の占有面積をより小さくすることができる光学機器を提供することにある。
【課題を解決するための手段】
【００１２】
本発明に係る光学機器は、レンズと、該レンズの異なる部位を覆うことで、前記レンズを保護する複数の保護板とを備える光学機器において、前記レンズの光軸に略平行であり、前記保護板が前記部位を覆う位置及び前記部位を露出する位置間で回動するように、前記複数の保護板を支持する支持軸と、前記レンズの一面側の径方向外側に配されており、前記複数の保護板を重ねて収容する収容体とを備え、前記収容体は、前記複数の保護板が入り込む収容口を前記レンズ側に有することを特徴とする。
【００１３】
本発明にあっては、支持軸が複数の保護板を回動自在に支持しているため、レンズを覆っている複数の保護板を回動させることで、各保護板を重ねることができる。
収容体は、重なった保護板を収容するための収容口を有しており、重ねられた状態で各保護板を収容することができる。従って、レンズの表面積より小さい占有面積の収容体で各保護板を収容することができる。
また、重なった各保護板を収容体からレンズ側へ回動させ、各保護板を広げた場合、レンズは保護板によって覆われる。
【００１４】
本発明に係る光学機器は、一の前記保護板が、他の前記保護板に当接することで、前記一の保護板の回動力を前記他の保護板に伝達する凸部を備え、前記他の保護板は、前記凸部が嵌入している長孔を備え、該長孔は前記保護板の回動方向に長く、各保護板の重なった部分の面積が第１所定面積である場合に当接する第１当接端と、重なった部分の面積が前記第１所定面積より大きい第２所定面積である場合に当接する第２当接端とを有することを特徴とする。
【００１５】
本発明にあっては、各保護板の重なった部分の面積が第１所定面積である場合、つまり各保護板が広がってレンズを覆っている場合、一の保護板が備える凸部は、他の保護板が有する長孔の第１当接端に当接している。
各保護板の重なった部分の面積が大きくなる方向へ一の保護板が回動した場合、凸部は第１当接端側から第２当接端側へ長孔に沿って移動するため、一の保護板の回動力は他の保護板に伝達されず、他の保護板は静止した状態にある。
一の保護板が前記方向へ更に回動し、凸部が長孔の第２当接端に当接した場合、各保護板の重なった部分の面積は、第１所定面積より大きい第２所定面積になる。
そして、一の保護板が前記方向へ更に回動した場合、一の保護板の回動力は他の保護板に伝達され、重なった部分の面積が第２所定面積の各保護板は、共に回動し、重なった状態で収容体に収容される。
【００１６】
各保護板が重なって、収容体に収容されている場合、一の保護板が備える凸部は、上述のように長孔の第２当接端に当接している。
各保護板の重なった部分の面積が小さくなる方向へ一の保護板が回動した場合、凸部は第２当接端側から第１当接端側へ長孔に沿って移動するため、一の保護板の回動力は他の保護板に伝達されず、他の保護板は静止した状態にある。
一の保護板が前記方向へ更に回動し、凸部が長孔の第１当接端に当接した場合、各保護板の重なった部分の面積は第１所定面積になる。
そして、各保護板がレンズの一面側まで回動した場合、レンズは各保護板によって覆われる。
【００１７】
本発明に係る光学機器は、前記保護板を回動させるための操作部と、直線移動可能に支持されており、前記操作部に与えられた駆動力を前記保護板に伝達するラックとを備え、前記保護板は、前記ラックに噛合する歯車を備えることを特徴とする。
【００１８】
本発明にあっては、操作部が直線移動した場合、操作部に与えられた駆動力によって、ラックに噛合した保護板の歯車が回動し、保護板はレンズ側から収容体側へ、又は収容体側からレンズ側へ回動する。
【００１９】
本発明に係る光学機器は、前記保護板が、前記レンズを覆う所定の回動位置にあることを検出する検出手段と、該検出手段の検出結果に応じて、所定処理を行う手段とを備えることを特徴とする。
【００２０】
本発明にあっては、各保護板がレンズを覆う所定の回動位置にあることを検出手段が検出した場合、所定処理を行う手段によって処理が行われる。検出手段が、前記回動位置に各保護板があることを検出していない場合、所定処理は行われない。
又は、各保護板がレンズを覆う所定の回動位置にあることを検出手段が検出した場合、所定処理が行われず、検出手段が、前記回動位置に各保護板があることを検出していない場合、所定処理が行われる。
【００２１】
本発明に係る光学機器は、前記レンズを収容した筐体を備え、前記収容体は、前記筐体の内側に配されていることを特徴とする。
【００２２】
本発明にあっては、保護板を収容する収容体は、レンズを収容する筐体の内側に配されている。従って、筐体の外側に収容体を配する場合に比べて、筐体の外側のデザイン自由度が高い。
【００２３】
本発明に係る光学機器は、放電ランプと、該放電ランプからの光を光変調する光変調部とを備え、前記レンズは、前記光変調部が光変調した変調光を投射するようにしてあることを特徴とする。
【００２４】
本発明にあっては、放電ランプからの光は、光変調部によって光変調され、光変調された変調光は、レンズによって投射される。従って、変調光の投射を行うレンズを保護板によって保護することができる。
【発明の効果】
【００２５】
本発明によれば、保護板を異なる収容体に夫々収容する場合に比べて、収容体の占有面積を小さく構成できる。
収容体の占有面積を小さくすることで、光学機器の設計自由度を向上させることができる。例えば、光学機器の外形寸法をより小さく設計することができ、より可搬性の高い光学機器を構成することができる。
【００２６】
本発明によれば、簡単な機構で、各保護板を重ねて収容し、各保護板を広げてレンズを覆うことができる。
また、保護板収容機構を簡単に構成することで、光学機器をより小型化することができる。
【００２７】
本発明によれば、操作部を直線移動させる簡単な操作で各保護板を収容体に収容し、また保護板でレンズを覆うことができる。
また、操作部に与えられた駆動力を簡単な歯車機構で保護板に伝達する構成であるため、光学機器を小型化することができる。
【００２８】
本発明によれば、レンズが保護板によって覆われているか否かに応じて、所定処理を行うことができる。
【００２９】
本発明によれば、光学機器を構成する筐体の外側に収容体を配する場合に比べて、筐体のデザイン自由度を向上させることができる。
また、収容体を筐体の内側に配することにより、収容体の内部空間を有効利用し、光学機器をより小型化することができる。
【００３０】
本発明によれば、変調光を投射するレンズを上述の保護板で保護することができ、保護板を異なる収容体に夫々収容する場合に比べて、収容体の占有面積を小さく構成できる。
【発明を実施するための最良の形態】
【００３１】
以下、本発明をその実施の形態を示す図面に基づいて詳述する。
図１は、本発明の実施の形態に係るプロジェクタを構成する光学系部分の略示斜視図である。本発明の実施の形態に係るプロジェクタは、投射レンズ３０を保護する第１及び第２保護板１１，１２を重ねて収容するように構成されている。
【００３２】
図中２は、略矩形の基板であり、基板２には、プロジェクタの光学系を構成するレンズユニット３が配設されている。レンズユニット３が配設された基板２は、略直方体のプロジェクタ筐体４（図３参照）に収容されている。
レンズユニット３は、光軸が基板２に対して略平行な前玉の投射レンズ３０、フォーカスレンズ等の光学素子を備えており、投射レンズ３０の前方には、投射レンズ３０を保護するレンズ保護機構１が配されている。
【００３３】
図２は、レンズ保護機構１の略示正面図、図３は、レンズ保護機構１の略示背面図である。
レンズ保護機構１は、投射レンズ３０の上半分を覆う第１保護板１１、下半分を覆う第２保護板１２、並びに第１及び第２保護板１１，１２等の各種構成部品を収容する収容体１０を備えている。
【００３４】
収容体１０は、投射レンズ３０の周縁形状に倣う円形の開口部１０ｂを投射レンズ３０の前方に形成しており、図３に示すようにプロジェクタ筐体４を構成する前面壁４０の内側にねじ止め固定されている。
図２に示すように、正面視で開口部１０ｂの径方向斜め下側には、第１及び第２保護板１１，１２を収容する保護板収容部１０ａが延設されている。
保護板収容部１０ａは、第１及び第２保護板１１，１２を重ねて収容するために必要な面積を有する板状部分を備えており、該板状部分及び前面壁４０は、投射レンズ３０の光軸に対して略垂直になるように形成されている。前記板状部分及び開口部１０ｂの外周部分には、第１及び第２保護板１１，１２の回動範囲を、開口部１０ｂ及び保護板収容部１０ａ間に制限する側壁が設けられており、保護板収容部１０ａは、開口部１０ｂ側に収容口１０ｅを形成している。収容口１０ｅは、第１及び第２保護板１１，１２を収容するために必要な開口面積を有している。
【００３５】
プロジェクタ筐体４は、第１及び第２保護板１１，１２を回動自在に支持する支持軸４０ａを備えている。支持軸４０ａは、開口部１０ｂの周縁部分であって、保護板収容部１０ａ寄りの斜め上側へ、前面壁４０から略垂直に突出している。
【００３６】
図４は、第１保護板１１及び第２保護板１２の略示斜視図、図５は、第１及び第２保護板１１，１２の分解斜視図、図６は、第１保護板１１の模式図、図７は、第２保護板１２の模式図である。
【００３７】
第１保護板１１は、投射レンズ３０の上半分の形状に倣った略半円形であり、円弧の一端側を切り欠いた形状である。
また、第１保護板１１は、支持軸４０ａが回動自在に挿通する第１孔部１１ｂを有する第１被支持部１１ａを前記一端側に形成している。
更に、第１被支持部１１ａは、投射レンズ３０側に突出しており、第１孔部１１ｂの周縁に形成された第１ピニオン１１ｄを有している。
収容体１０は、凹状のピニオン収容部１０ｃを形成しており、第１保護板１１の第１ピニオン１１ｄは、ピニオン収容部１０ｃに収容されている。また、ピニオン収容部１０ｃは、支持軸４０ａの端部を支持する嵌合凹部を形成している。
【００３８】
ピニオン収容部１０ｃは、図３に示すように、第１ピニオン１１ｄの一部を収容体１０の外側へ露出させる開口を形成しており、第１ピニオン１１ｄには、収容体１０の外側で第２ピニオン１３が噛合している。第２ピニオン１３は、収容体１０の投射レンズ３０側に突設された回動軸にて回動自在に支持されている。
【００３９】
更にまた、第１被支持部１１ａは、第１保護板１１を投射レンズ３０側又は保護板収容部１０ａ側へ付勢するねじりコイルバネ１６の一端１６ａが係着する第１係着凸部１１ｅを投射レンズ３０側に形成している。第１係着凸部１１ｅは、第１保護板１１がレンズの上半分を覆っている場合、第１孔部１１ｂの下側に位置するように形成されている（図８参照）。
更にまた、第１被支持部１１ａは、第１孔部１１ｂから離隔した前面壁４０側の部位に突設されており、第１保護板１１の回動力を第２保護板１２へ伝達するための凸部１１ｃを形成している。
【００４０】
第２保護板１２は、投射レンズ３０の下半分の形状に倣った略半円形であり、第１保護板１１と共に投射レンズ３０全面を覆うことができるように形成されている。第２保護板１２は、支持軸４０ａが回動自在に挿通する第２孔部１２ｂを有する第２被支持部１２ａを円弧の一端側に形成している。
また、第２保護板１２は、第１保護板１１より前面壁４０側に配されており、第１保護板１１の凸部１１ｃが嵌入する長孔１２ｃを第２孔部１２ｂから離隔した部位に有している。
長孔１２ｃは、第２孔部１２ｂの中心線に対して回動方向に長く、第１及び第２保護板１１，１２の重なった部分の面積が第１所定面積となる位置関係、つまり第１及び第２保護板１１，１２が円形をなす位置関係にある場合に当接する第１当接端１２ｄと、第１及び第２保護板１１，１２の重なった部分の面積が第２所定面積となる位置関係にある場合に当接する第２当接端１２ｅとを有している（図２及び図１２参照）。第２所定面積は、第１所定面積より大きい。
【００４１】
また、レンズ保護機構１は、第１及び第２保護板１１，１２を回動させるための操作部１４ｃを備えている。操作部１４ｃは、前面壁４０の外側に配設されており、操作部１４ｃは、前面壁４０に設けられた矩形の孔部を通じてプロジェクタ筐体４内部に配された駆動力伝達部１４ｂに接続されている。
【００４２】
駆動力伝達部１４ｂは、第２ピニオン１３に噛合するラック１４ａを端部に形成した角柱状部分を有し、収容体１０の投射レンズ３０側には、駆動力伝達部１４ｂを横方向に摺動自在に支持及び収容する駆動機構収容体１５を備えている。操作部１４ｃが操作され、横方向に直線移動した場合、駆動力伝達部１４ｂに形成されたラック１４ａ、第１及び第２ピニオン１１ｄ，１３を介して、操作部１４ｃに与えられた駆動力が第１保護板１１に伝達され、第１保護板１１は、投射レンズ３０側又は保護板収容部１０ａ側に回動する。
【００４３】
図８は、駆動機構収容体１５を取り外したレンズ保護機構１を示す略示背面図である。
保護板収容部１０ａは、ねじりコイルバネ１６の他端１６ｂが係着する第２係着凸部１０ｄを備えており、ねじりコイルバネ１６は、第１係着凸部１１ｅ及び第２係着凸部１０ｄに係着しており、コイル部分は自由に移動できるように構成してある。
つまり、第１保護板１１が投射レンズ３０の上半分を覆う位置にある場合、第１保護板１１が開口部１０ｂ側へ付勢され、第１保護板１１が投射レンズ３０の下半分を覆う位置にある場合、第１保護板１１が保護板収容部１０ａ側へ付勢されるような位置に第２係着凸部１０ｄが形成されている。
【００４４】
図９は、リミットスイッチ１７の略示斜視図である。
レンズ保護機構１は、第１及び第２保護板１１，１２が投射レンズ３０を覆っているか否かを検出するリミットスイッチ１７を備えている。リミットスイッチ１７は、図２に示すように、第１及び第２保護板１１，１２が投射レンズ３０を覆った場合、駆動力伝達部１４ｂがノブ１７ａに当接して入になり、投射レンズ３０が外部に露出した場合、駆動力伝達部１４ｂがノブ１７ａから離隔して切りになる位置に配されている。
【００４５】
図１０は、プロジェクタの構成を示す模式図である。
プロジェクタ筐体４は、超高圧水銀ランプ、メタルハライドランプ等の放電ランプ５０を収容している。放電ランプ５０の白色光は、回転放物面状の反射鏡５１によって反射されてカラーホイール５２を透過し、ロッドインテグレータ５４に入射する。
【００４６】
カラーホイール５２は、赤・緑・青の光を夫々透過させる扇状のカラーフィルタを周方向に配しており、カラーフィルタの回転通過域に放電ランプ５０の投光域が位置するように配置されている。
【００４７】
カラーホイール５２の中心部には、モータ駆動部５３ｂにより回転駆動されるモータ５３ａの出力軸が接続されており、モータ駆動部５３ｂは、モータ５３ａを等速回転させる。モータ５３ａの回転は、マイクロコンピュータからなる制御部５９によって制御される。
【００４８】
カラーホイール５２が等速回転している場合、白色光は赤色、緑色及び青色のカラーフィルタに順次的に入射し、時系列で赤・緑・青の光に色時分割される。色時分割された光は、略長方形のロッドインテグレータ５４の入射口に入射し、入射した光は、ロッドインテグレータ５４の内面で反射を繰り返して均一な光となり、出射口から照明レンズ群５５に入射する。
【００４９】
照明レンズ群５５は、コンデンサレンズ及びリレーレンズからなり、白色光をＤＭＤ５６ａに入射させる。ＤＭＤ５６ａは、画像データに係る画像の各ドットに対応付けられた複数の微小可動ミラーを備えている。ＤＭＤ駆動部５６ｂは、制御部５９から与えられた画像データに基づいて、色時分割された赤・緑・青の光が、投射レンズ３０へ又は投射レンズ３０外へ選択的に反射するように、各微小可動ミラーを選択的に±１０度傾ける。ＤＭＤ５６ａに入射した光は、ＤＭＤ５６ａの微小可動ミラーにより光変調され、光変調された変調光は、投射レンズ３０に入射する。
【００５０】
投射レンズ３０は、変調光、即ち画像を拡大表示する光をスクリーンに投射する。その結果、画像データに係る画像がスクリーンに色時分割表示される。
【００５１】
また、制御部５９は、リミットスイッチ１７の信号に基づいて、点灯回路５８による放電ランプ５０の点灯を制御するように構成されている。具体的には、リミットスイッチ１７が入りになった場合、消灯の制御信号を点灯回路５８に与えることで、放電ランプ５０を消灯させる。また、リミットスイッチ１７が切りになった場合、点灯の制御信号を点灯回路５８に与えることで、放電ランプ５０を点灯させる。
【００５２】
このように構成されたプロジェクタの作用を説明する。
図８に示すように、第１及び第２保護板１１，１２が投射レンズ３０を覆っている場合、第１保護板１１の第１係着凸部１１ｅは、支持軸４０ａに対して開口部１０ｂ側に位置しているため、ねじりコイルバネ１６によって、第１保護板１１は、開口部１０ｂ側へ付勢されている。
【００５３】
図１１乃至図１３は、第１及び第２保護板１１，１２の動作を示すレンズ保護機構１の略示正面図である。図２に示すように、第１及び第２保護板１１，１２が投射レンズ３０を覆っている状態で操作部１４ｃ及び駆動力伝達部１４ｂが、ねじりコイルバネ１６の付勢力に逆らって、矢符で示す方向、つまり投射レンズ３０側に移動した場合、駆動力伝達部１４ｂのラック１４ａに噛合した第２ピニオン１３が正面視で反時計回りに回動し、第１ピニオン１１ｄ及び第１保護板１１が時計回りに回動する。
【００５４】
第１保護板１１が時計回りに回動した場合、図１１に示すように、第１保護板１１の凸部１１ｃは、第２保護板１２が有する長孔１２ｃの第１当接端１２ｄ側から第２当接端１２ｅ側へ移動するため、第１保護板１１の回動力は、第２保護板１２に伝達されない。従って、第１保護板１１のみが時計回り、つまり保護板収容部１０ａ側へ回動する。
【００５５】
そして、第１保護板１１が更に保護板収容部１０ａ側へ回動し、図１２に示すように、第１及び第２保護板１１，１２の重なった部分の面積が第２所定面積になった場合、第１保護板１１の凸部１１ｃが、長孔１２ｃの第２当接端１２ｅに当接する。
【００５６】
第１保護板１１が更に保護板収容部１０ａ側へ回動した場合、第１保護板１１の凸部１１ｃが長孔１２ｃの第２当接端１２ｅに当接しているため、第１保護板１１の回動力が第２保護板１２に伝達される。つまり、第１及び第２保護板１１，１２は、保護板収容部１０ａ側へ一体回動する。
第１及び第２保護板１１，１２が保護板収容部１０ａの側壁に当接した場合、図１３に示すように、各保護板１１，１２が重なった状態で収容される。
【００５７】
図１４は、第１及び第２保護板１１，１２が収容された状態で、駆動機構収容体１５を取り外したレンズ保護機構１を示す略示背面図である。
第１及び第２保護板１１，１２が保護板収容部１０ａに収容されている場合、第１保護板１１の第１係着凸部１１ｅは、支持軸４０ａに対して開口部１０ｂの反対側に位置しているため、第１保護板１１は、ねじりコイルバネ１６によって保護板収容部１０ａ側に付勢される。
【００５８】
逆に、第１及び第２保護板１１，１２が保護板収容部１０ａに収容されている状態で操作部１４ｃ及び駆動力伝達部１４ｂが、ねじりコイルバネ１６の付勢力に逆らって、矢符で示す方向と逆方向に移動した場合、駆動力伝達部１４ｂのラック１４ａに噛合した第２ピニオン１３が正面視で時計回りに回動し、第１ピニオン１１ｄ及び第１保護板１１が反時計回り、つまり開口部１０ｂ側へ回動する。
【００５９】
第１保護板１１が開口部１０ｂ側へ回動した場合、第１保護板１１の凸部１１ｃは長孔１２ｃの第２当接端１２ｅ側から第１当接端１２ｄ側へ移動するため、第１保護板１１の回動力は、第２保護板１２に伝達されない。従って、第１保護板１１のみが開口部１０ｂ側へ回動する。
【００６０】
そして、第１保護板１１が更に開口部１０ｂ側へ回動し、第１保護板１１の凸部１１ｃが、長孔１２ｃの第１当接端１２ｄに当接した場合、第１保護板１１の回動力が第２保護板１２に伝達される。つまり、第１及び第２保護板１１，１２は、開口部１０ｂ側へ一体回動する。
第１及び第２保護板１１，１２が開口部１０ｂの側壁に当接した場合、図２に示すように、投射レンズ３０の上半分は第１保護板１１によって覆われ、投射レンズ３０の下半分は第２保護板１２によって覆われる。
【００６１】
このように構成されたプロジェクタにあっては、第１及び第２保護板１１，１２を収容する収容体１０を、投射レンズ３０の表面積より小さく構成することができ、プロジェクタの設計自由度を向上させることができる。
例えば、第１及び第２保護板１１，１２、並びに収容体１０を小型化することで、プロジェクタの外形寸法をより小さく設計することができ、プロジェクタの可搬性を向上させることができる。
【００６２】
また、第１保護板１１の凸部１１ｃ、及び第２保護板１２の長孔１２ｃからなる簡単な機構で、各保護板１１，１２を重ねて収容することができ、各保護板１１，１２を広げて投射レンズ３０を覆うことができる。
【００６３】
更に、操作部１４ｃを直線移動させる簡単な操作で各保護板１１，１２を回動させ、第１及び第２保護板１１，１２を収容体１０に収容し、また各保護板１１，１２で投射レンズ３０を覆うことができる。
【００６４】
更にまた、投射レンズ３０が第１及び第２保護板１１，１２によって覆われた場合、放電ランプ５０を消灯させることができ、電力の浪費を防止することができる。
【００６５】
更にまた、プロジェクタ筐体４の外側に収容体１０を配する場合に比べて、プロジェクタ筐体４のデザイン自由度を向上させることができる。
【００６６】
なお、第１及び第２保護板によって投射レンズを保護するように構成したプロジェクタを説明したが、投射レンズの異なる部位を覆う３枚以上の保護板によって投射レンズを保護するように構成しても良い。
【００６７】
また、放電ランプからの光を色時分割し、色時分割された光をＤＭＤにて光変調するプロジェクタを説明したが、放電ランプからの白色光を液晶パネルにて光変調するように構成しても良い。
【００６８】
更に、実施の形態では、プロジェクタを説明したが、外部に露出したレンズを備えた光学機器に本発明、つまりレンズ保護機構を適用しても良い。
【図面の簡単な説明】
【００６９】
【図１】本発明の実施の形態に係るプロジェクタを構成する光学系部分の略示斜視図である。
【図２】レンズ保護機構の略示正面図である。
【図３】レンズ保護機構の略示背面図である。
【図４】第１保護板及び第２保護板の略示斜視図である。
【図５】第１及び第２保護板の分解斜視図である。
【図６】第１保護板の模式図である。
【図７】第２保護板の模式図である。
【図８】駆動機構収容体を取り外したレンズ保護機構を示す略示背面図である。
【図９】リミットスイッチの略示斜視図である。
【図１０】プロジェクタの構成を示す模式図である。
【図１１】第１及び第２保護板の動作を示すレンズ保護機構の略示正面図である。
【図１２】第１及び第２保護板の動作を示すレンズ保護機構の略示正面図である。
【図１３】第１及び第２保護板の動作を示すレンズ保護機構の略示正面図である。
【図１４】第１及び第２保護板が収容された状態で、駆動機構収容体を取り外したレンズ保護機構を示す略示背面図である。
【図１５】従来のプロジェクタの略示斜視図である。
【符号の説明】
【００７０】
１  レンズ保護機構
１０  収容体
１０ａ  保護板収容部
１０ｂ  開口部
１０ｅ  収容口
１１  第１保護板
１１ａ  第１被支持部
１１ｂ  第１孔部
１１ｃ  凸部
１１ｄ  第１ピニオン
１２  第２保護板
１２ａ  第２被支持部
１２ｂ  第２孔部
１２ｃ  長孔
１２ｄ  第１当接端
１２ｅ  第２当接端
１３  第２ピニオン
１４ａ  ラック
１４ｂ  駆動力伝達部
１４ｃ  操作部
１７  リミットスイッチ
３０  投射レンズ
４０  前面壁
４０ａ  支持軸
５０  放電ランプ
５２  カラーホイール
５６ａ  ＤＭＤ
５８  点灯回路
５９  制御部
【図１】
2007163871.tif 000003
【図２】
2007163871.tif 000004
【図３】
2007163871.tif 000005
【図４】
2007163871.tif 000006
【図５】
2007163871.tif 000007
【図６】
2007163871.tif 000008
【図７】
2007163871.tif 000009
【図８】
2007163871.tif 000010
【図９】
2007163871.tif 000011
【図１０】
2007163871.tif 000012
【図１１】
2007163871.tif 000013
【図１２】
2007163871.tif 000014
【図１３】
2007163871.tif 000015
【図１４】
2007163871.tif 000016
【図１５】
2007163871.tif 000017